(57)【要約】【課題】集塵袋の内面上部に付着した塵埃を効果的に落とすことができる電気掃除機を提供すること。【解決手段】掃除機本体１の集塵室３内に塵埃捕集用の紙パックフィルタ７が配設され、集塵室３の上部に紙パックフィルタ７の上面７ａを叩く塵落とし装置１３が設けられている。また、塵落とし装置１３は、紙パックフィルタ７の上面７ａの異なる部分に臨ませた複数の叩き部材２０，２１を有すると共に、複数の叩き部材２０，２１を順に駆動して紙パックフィルタ７の上面７ａの異なる部分を順々に叩かせる駆動手段２２を有する。【選択図】図１１
2007111352.tif 000002
【特許請求の範囲】
【請求項１】
掃除機本体の集塵室内に塵埃捕集用の集塵袋が配設され、前記集塵室の上部に前記集塵袋の上面を叩く除塵手段が設けられた電気掃除機において、
前記除塵手段は、前記集塵袋の上面の異なる部分に臨ませた複数の叩き部材を有すると共に、前記複数の叩き部材を順に駆動して前記集塵袋の上面の異なる部分を順々に叩かせる駆動手段を有することを特徴とする電気掃除機。
【請求項２】
前記複数の叩き部材は、前記上面の前側の部分を叩く前側叩き部材と、前記上面の後側の部分を叩く後側叩き部材であることを特徴とする請求項１に記載の電気掃除機。
【請求項３】
前記駆動手段は、駆動モータと、該駆動モータに連動して前記前側叩き部材と後側叩き部材を交互に前記上面に対して進退動させるカムを有することを特徴とする請求項２に記載の電気掃除機。
【発明の詳細な説明】
【技術分野】
【０００１】
この発明は、掃除機本体の集塵室内に配設された集塵袋の塵落としを行うようにした電気掃除機に関するものである。
【背景技術】
【０００２】
電気掃除機には、集塵室が掃除機本体の前部に形成され、この集塵室に吸込負圧を作用させる電動送風機が掃除機本体の後部に設けられていると共に、この集塵室に接続した集塵ホースが延長パイプを介して吸込口体に接続されたものが知られている。
【０００３】
このような電気掃除機では、集塵室内に紙パックフィルタ等の集塵袋（集塵フィルタ）を装着して、吸込口体で吸い込んだ塵埃を延長パイプ及び集塵ホースを介して集塵室内の集塵袋で捕集するようにしているのが普通である。
【０００４】
しかも、この電気掃除機では、集塵袋に捕集される塵埃の量が増大するに連れて集塵袋の内面に付着する塵埃の量が増大して、集塵袋の目詰まりが進行し、吸込能力が低下する傾向にある。
【０００５】
尚、集塵袋内に捕集される塵埃のうち重いものは後部下方から堆積する傾向にある。一方、塵埃のうち軽いものや細かいものは集塵袋の略内面全体に付着して、目詰まりの原因となる傾向にある。
【０００６】
この集塵袋の目詰まりを解消するために、集塵袋に前側下部に振動を与えて、集塵袋の内面に付着した塵埃を落とすようにした振動塵落下方式の電気掃除機も知られている（たとえば、特許文献１参照）。
【０００７】
また、集塵袋以外の二次フィルタに回転式の振動付与手段で振動を与えて、二次フィルタに付着した塵埃を落とすことにより、二次フィルタの目詰まり状態を少なくして、吸込能力の低下を防止することも行われている（例えば、特許文献２参照）。
【０００８】
このようにフィルタに振動を与えてフィルタに付着した塵埃を落とすことが行われている。
【特許文献１】特開平０５−９１９６２号公報
【特許文献２】特開２００４−１８０７６７号公報
【発明の開示】
【発明が解決しようとする課題】
【０００９】
しかしながら、上述した電気掃除機では、集塵袋の前側下部にのみ振動を与えるようにしているため、集塵袋の内面上部に付着した塵埃を効果的に落とすことはできないものであった。
【００１０】
そこで、この発明は、集塵袋の内面上部に付着した塵埃を効果的に落とすことができる電気掃除機を提供することを目的とするものである。
【課題を解決するための手段】
【００１１】
この目的を達成するため、この発明は、掃除機本体の集塵室内に塵埃捕集用の集塵袋が配設され、前記集塵室の上部に前記集塵袋の上面を叩く除塵手段が設けられた電気掃除機において、前記除塵手段は、前記集塵袋の上面の異なる部分に臨ませた複数の叩き部材を有すると共に、前記複数の叩き部材を順に駆動して前記集塵袋の上面の異なる部分を順々に叩かせる駆動手段を有する電気掃除機としたことを特徴とする。
【発明の効果】
【００１２】
この構成によれば、集塵袋の上面の異なる部分を複数の叩き部材で順に叩くので、集塵袋の内面上部に付着した塵埃を効果的に落とすことができる。
【発明を実施するための最良の形態】
【００１３】
以下、この発明の実施の形態を図面に基づいて説明する。
[構成]
図１，図２において、１は電気掃除機の掃除機本体、２は掃除機本体１の本体ケースである。この本体ケース２の前部には、上方に開口する集塵室３が形成されている。また、掃除機本体１は、集塵室３の上方に配設された集塵蓋４を有する。
【００１４】
この集塵蓋４は、図２に示したように後端部が左右に延びる支持軸５を介して掃除機本体１に回動可能に取り付けられている。これにより、集塵蓋４は、前側が後端部の支持軸５を中心に上下に回動して、集塵室３の上部開口端を開閉するようになっている。
【００１５】
また、掃除機本体１の後部内には集塵室３に吸込負圧を作用させる電動送風機６が配設され、集塵室３内には紙パックフィルタ（集塵袋）７が配設されている。
【００１６】
この紙パックフィルタ７は、図２に示したように口枠７ａを有し、この口枠７ａは集塵室３の前壁３ａに図示を省略した保持手段で着脱可能に取り付けられている。そして、本体ケース２の前端部には、口枠７ａの図示しない接続口に連通するホース接続口８が形成されている。
【００１７】
図１において、ホース接続口８には集塵ホース９の一端部に取り付けた接続筒９ａが着脱可能に嵌着されている。この接続筒９ａは集塵フィルタ７に接続されている。この集塵ホース９の他端部には手元操作パイプ１０が取り付けられ、手元操作パイプ１０には延長管（延長パイプ）１１を介して吸込口体１２が接続されている。尚、吸込口体１２は、下面に図示しない吸込開口を有する。
【００１８】
また、図１において、１０ａは手元操作パイプ１０に設けられた操作パネルである。この操作パネル１０ａには、「弱／中」吸込風量切り替え用のスイッチＳ１と、「強」吸込風量用のスイッチＳ２と、「切り」用のスイッチＳ３等が設けられている。
＜塵落とし装置＞
また、紙パックフィルタ７の上部の集塵蓋４の内面（下面）には、図２に示したように塵落とし装置（塵落とし手段）１３が除塵手段として取り付けられている。この塵落とし装置１３は、図３，図４に示したように集塵蓋４の内面に沿わせた保持フレーム１４を有する。
（保持フレーム１４）
この保持フレーム１４は、図３，図４，図５〜図１０に示したように、方形状の底壁１４ａと、底壁１４ａの左右の縁部に連設された側壁１４ｂ，１４ｃと、底壁１４ａの前縁に連設された前側壁１４ｄと、底壁１４ａの後縁に連設された後側壁１４ｅを有する。そして、側壁１４ｂ，１４ｃには、側方に突出する取付片１５が一体に形成されている。この保持フレーム１４は、取付片１５を貫通するネジ１６で集塵蓋４の内面に着脱可能に固定されている。
【００１９】
しかも、図３，図４，図７，図９，図１０に示したように、底壁１４ａの前後方向中間部には、左右両側部の二つのスリット状の後挿通孔１７と、左右中央部の大きな面積の後挿通孔１７ａが間隔をおいて形成されている。また、底壁１４ａの前縁部には左右方向に間隔をおいてスリット状の前挿通孔１８が複数形成されている。更に、側壁１４ａ，１４ｂの前後方向中間部には、図４Ａに示したように互いに対向する同一軸線の軸穴１９，１９が形成されている。
【００２０】
また、塵落とし装置１３は、図６〜図８に示したような後叩き部材２０と、前叩き部材２１と、後叩き部材２０及び前叩き部材２１を駆動する駆動手段２２を有する。
（後叩き部材２０）
この後叩き部材２０は、図４Ｂ（ａ），（ｂ）に示したように、保持フレーム１４の底壁１４ａに沿う下壁部２０ａと、保持フレーム１４の後側壁１４ｅに沿う後壁部２０ｂとから、断面形状が略Ｌ字状に形成されている。
【００２１】
そして、図６，図７に示したように後壁部２０ｂの左右両端部には軸受突部２０ｃ，２０ｃが突設され、軸受突部２０ｃ，２０ｃを貫通する支持軸２３の両端部が保持フレーム１４の側壁１４ｂ，１４ｃに固定されている。
【００２２】
この軸受突部２０ｃ，２０ｃは支持軸２３に回転自在に支持されている。これにより、下壁部２０ａは支持軸２３を中心に前側が上下に回動できるようになっている。
【００２３】
また、下壁部２０ａには、図３，図５の後挿通孔１７，１７にそれぞれ挿通された後叩き突部（膨出突部）２０ｄ，２０ｄと、後挿通孔１７ａに挿通された後叩き突部（膨出突部）２０ｅ，２０ｆ，２０ｇが形成されている。この後叩き突部２０ｄ，２０ｄ，２０ｅ，２０ｆ，２０ｇは下壁部２０ａを下方に膨出させることにより形成されている。尚、後叩き突部２０ｅ，２０ｇは前後に細長く延び、後叩き突部２０ｅ，２０ｇ間の後叩き突部２０ｆは円形状に形成されている。
【００２４】
また、後壁部２０ｂは保持フレーム１４の側壁１４ｂに対向する対向端２０ｈを有し、この対向端２０ｈの上端には側壁１４ｂ側に突出するカム受け２０ｉを有する。
【００２５】
更に、保持フレーム１４の一側部上には図６に示したようにバネ受け部材２４が配設されている。このバネ受部材２４は、図４Ｂに示したように、前側壁１４ｄに取り付けられた取付板部２４ａと、取付板部２４ａの上端から後方に後側壁１４ｅの上方まで延びるバネ受板部２４ｂを有する。このバネ受板部２４ｂの上面には集塵蓋４の内面に当接する弾性部材２４ｃが接着固定されている。
【００２６】
そして、下壁部１４ａの後部及びバネ受板部２４ｂの後部には互いに対向するバネ支持突部２０ｊ及び２４ｃがそれぞれ突設されている。しかも、下壁部１４ａとバネ受板部２４ｂとの間には、バネ支持突部２０ｊ，２４ｃが両端部に嵌着されたコイルスプリング（回動付勢バネ）２６が弾性部材として介装されている。このコイルスプリング２６は、下壁部１４ｂを下方に回動付勢している。
（前叩き部材２１）
更に、前叩き部材２１は、図８〜図１０の如く、板状のベース部材２１ａと、ベース部材２１ａの一側部に後方に向けて延設されたアーム部２１ｂと、ベース部材２１ａの他側部に後方に向けて保持フレーム１４の後側壁１４ｅ近傍まで延設された側板２１ｃを有する。そして、図４Ａに示したように、アーム部２１ｂの後端部には上方に突出する突部２１ｄが一体に形成され、突部２１ｄには支持軸２１ｅが形成されている。
【００２７】
また、側板２１ｃには、支持軸２１ｅと同一軸線を有する支持軸２１ｆが一体に形成されている。そして、支持軸２１ｅ，２１ｆは、保持フレーム１４の軸穴１９，１９に回動自在に嵌合されている。これにより、ベース部材２１ａは支持軸２１ｅ，２１ｆを中心に前側が上下に回動できるようになっている。
【００２８】
しかも、ベース部材２１ａには、複数の前叩き突部２１ｈが一体に形成されている。この前叩き突部２１ｈは、ベース部材２１ａを下方に膨出させることにより形成されている。また、この複数の前叩き突部２１ｈは図３，図５，図１１に示したように複数の前挿通孔１８にそれぞれ挿通されている。
【００２９】
また、側板２１ｃの後端部には、図１２に示したように、前側上部から後側下方に向けて斜めに設けられたカム受け突部２１ｉを有する。
【００３０】
そして、ベース部材２１ａの前端部及びバネ受板部２４ｂの前端部には互いに対向するバネ支持突部２１ｊ及び２４ｄがそれぞれ突設されている。しかも、ベース部材２１ａとバネ受板部２４ｂとの間には、バネ支持突部２１ｊ，２４ｄが両端部に嵌着されたコイルスプリング（回動付勢バネ）２７が弾性部材として介装されている。このコイルスプリング２７は、ベース部材２１ａを下方に回動付勢している。
（駆動手段２２）
この駆動する駆動手段２２は、図１３，図５，図６，図８，図９に示したように保持フレーム１４の側壁１４ｂの後端部に取り付けられた駆動モータ２８と、図８に示したように駆動モータ２８の出力軸２８ａに取り付けられたカム２９を有する。
【００３１】
このカム２９は、カム受け突部２０ｉ，２１ｉ間に位置していると共に、カム受け突部２０ｉとカム受け突部２１ｉに間欠的に係合するカム突部２９ａを有する。
＜制御手段＞
また、電動送風機６及び駆動モータ２８は、図１３に示した制御回路３０により駆動制御されるようになっている。この制御回路３０には、スイッチＳ１，Ｓ２，Ｓ３が接続されている。
【００３２】
更に、この制御回路３０には図１の電源コード３１を介してプラグ３２が接続されている。そして、制御回路３０は、プラグ３２を図示しないコンセントに差し込んだときに、駆動モータ２８を所定時間（数秒〜数十秒）駆動させるようになっている。
[作用]
次に、このような構成の電気掃除機の作用を説明する。
【００３３】
このような構成において、プラグ３２を図示しないコンセントに差し込むと、制御回路３０は駆動モータ２８を所定時間（数秒〜数十秒）駆動させる。これにより、カム２９が矢印３３で示したように図１２中反時計回り方向に回転させられる。
【００３４】
この回転に伴いカム２９のカム突部２９ａは、図１２（ｂ）の如く前叩き部材２１のカム受け突部２１ｉに上方から係合して、前叩き部材２１のベース部材２１ａの後端部をコイルスプリング２７のバネ力に抗して支持軸２１ｅ，２１ｆを中心に下方に回動させ、ベース部材２１ａの前端部を上方に回動させる。これにより、前叩き部材２１の前叩き突部２１ｈが図１１（ａ）の如く前挿通孔１８内に没入させられる。
【００３５】
この後、カム２９のカム突部２９ａが図１２（ｃ）の如くカム受け突部２１ｊから離反すると、前叩き部材２１のベース部材２１ａの前端部がコイルスプリング２７のバネ力により支持軸２１ｅ，２１ｆを中心に下方に回動させられて、複数の前叩き突部２１ｈが図１１（ｂ）の如く前挿通孔１８から突出させられる。この際、複数の前叩き突部２１ｈは、図２の紙パックフィルタ７の上面７ｂの前側部分Ｂ１を叩いて、紙パックフィルタ７内面の上部の前側部分に付着した塵埃を叩き落とす。
【００３６】
一方、回転に伴いカム２９のカム突部２９ａは、図１２（ｄ）の後叩き部材２０の如くカム受け突部２０ｊに下方から係合して、後叩き部材２０の下壁部２０ａをコイルスプリング２６のバネ力に抗して支持軸２３を中心に上方に回動させる。これにより、後叩き部材２０の後叩き突部２０ｄ〜２０ｇが図１１（ｃ）の如く後挿通孔１７，１７ａ内に没入させられる。
【００３７】
この後、カム２９のカム突部２９ａが図１２（ａ）の如く後叩き部材２０のカム受け突部２０ｊから離反すると、後叩き部材２０の下壁部２０ａがコイルスプリング２６のバネ力により支持軸２３を中心に下方に回動させられて、後叩き突部２０ｄ〜２０ｇが図１１（ｂ）の如く後挿通孔１７，１７ａから下方に突出させられる。この際、後叩き突部２０ｄ〜２０ｇは、図２の紙パックフィルタ７の上面７ｂの後側部分Ｂ２を叩いて、紙パックフィルタ７内面の上部の後側部分に付着した塵埃を叩き落とす。
【００３８】
このような複数の前叩き突部２１ｈと後叩き突部２０ｄ〜２０ｇによる紙パックフィルタ７の上面７ｂの叩き動作は複数回交互に行われて、紙パックフィルタ７内面の上部に付着した塵埃が叩き落され、紙パックフィルタ７の上部の目詰まりが解消され、紙パックフィルタ７の上部の通気性が良くなる。
【００３９】
次に、手元操作パイプ１０に設けられたスイッチＳ１又はＳ２をONさせると、制御回路３０は電動送風機を作動させ、電動送風機の吸込口に発生する吸込負圧を集塵室に作用させる。この吸込負圧は、紙パックフィルタ，集塵ホース９，手元操作パイプ１０，延長管１１を介して吸込口体１２の吸込室（図示せず）に作用する。
【００４０】
この吸込負圧によって吸込口体１２の底面に設けた吸込室の吸込開口から被清掃面上の塵埃及び空気が吸い込まれる。この吸い込まれた塵埃及び空気は、延長管１１，手元操作パイプ１０，集塵ホース９，及び紙パックフィルタを介して集塵室へ吸い込まれる。
【００４１】
この際、塵埃は集塵室内に配設された紙パックフィルタに捕集される。一方、紙パックフィルタを透過した空気は、図示を省略した二次フィルタ（細塵フィルタ）を介して電動送風機に吸い込まれて内部を冷却した後、電動送風機の排気口から排出されて、本体ケース２の後壁の排気口等から大気に排気される。
（その他）
以上説明した実施例では、プラグ３２を図示しないコンセントに差し込んだときに、駆動モータ２８を所定時間（数秒〜数十秒）駆動させて、複数の前叩き突部２１ｈと後叩き突部２０ｄ〜２０ｇによる紙パックフィルタ７の上面７ｂの叩き動作を複数回交互に行うようにしたが、必ずしもこれに限定されるものではない。
【００４２】
例えば、スイッチＳ３を押して制御回路３０により電動送風機６の動作を停止させたときに、制御回路３０により駆動モータ２８を所定時間（数秒〜数十秒）駆動させて、複数の前叩き突部２１ｈと後叩き突部２０ｄ〜２０ｇによる紙パックフィルタ７の上面７ｂの叩き動作を複数回交互に行うようにしても良い。
【００４３】
また、電気掃除機としては、制御回路３０により電動送風機６の駆動電流を検出させて、紙パックフィルタ７内に捕集された塵埃の量がゴミ捨て量に達して、紙パックフィルタ７の目詰まりが進行し、電動送風機６の駆動電流が所定値を超えた場合、制御回路３０によりゴミ捨てサインをＬＥＤ等を点灯させて表示するようにしたものが考えられる。そして、このタイプの電気掃除機において、ゴミ捨てサインのＬＥＤが点灯させられたときに、制御回路３０により駆動モータ２８を所定時間（数秒〜数十秒）駆動させて、複数の前叩き突部２１ｈと後叩き突部２０ｄ〜２０ｇによる紙パックフィルタ７の上面７ｂの叩き動作を複数回交互に行うようにしても良い。
【００４４】
更に、電気掃除機としては、制御回路３０により電動送風機６の駆動電流を検出させて、紙パックフィルタ７内に捕集された塵埃の量がゴミ捨て量に達して、紙パックフィルタ７の目詰まりが進行し、電動送風機６の駆動電流が所定値を超えた場合、制御回路３０により電動送風機６への駆動電力を大幅に低下（パワーダウン）させて、電動送風機６の焼損を未然に防止するようにしたものが考えられる。そして、このタイプの電気掃除機において、制御回路３０により電動送風機６への駆動電力を大幅に低下（パワーダウン）制御が行われたときに、この制御回路３０により駆動モータ２８を所定時間（数秒〜数十秒）駆動させて、複数の前叩き突部２１ｈと後叩き突部２０ｄ〜２０ｇによる紙パックフィルタ７の上面７ｂの叩き動作を複数回交互に行うようにしても良い。
【００４５】
また、以上説明した駆動モータ２８の駆動タイミングを幾つか又は全部組み合わせた構成とすることもできる。
【００４６】
また、以上説明した実施例では、紙パックフィルタ７（集塵袋）の上面の前側と後側を前側叩き部材２１と後側叩き部材２０により交互に叩ようにしたが、必ずしもこれに限定されるものではない。例えば、紙パックフィルタ７（集塵袋）の上面の左右の部分を交互に叩く叩き部材を設けることもできる。
【００４７】
更に、以上説明した実施例では、紙パックフィルタ７（集塵袋）の上面の前側と後側を前側叩き部材２１と後側叩き部材２０の２つにより交互に叩くようにしたが、必ずしもこれに限定されるものではない。このような叩き部材は２つより多く設けても良い。
【００４８】
以上説明したように、この発明の実施の形態の電気掃除機では、掃除機本体１の集塵室３内に塵埃捕集用の集塵袋（紙パックフィルタ７）が配設され、前記集塵室３の上部に前記集塵袋（紙パックフィルタ７）の上面（７ａ）を叩く除塵手段（塵落とし装置１３）が設けられている。また、前記除塵手段（塵落とし装置１３）は、前記集塵袋（紙パックフィルタ７）の上面の異なる部分に臨ませた複数の叩き部材（２０，２１）を有すると共に、前記複数の叩き部材（２０，２１）を順に駆動して前記集塵袋（紙パックフィルタ７）の上面の異なる部分を順々に叩かせる駆動手段２２を有する。
【００４９】
この構成によれば、集塵袋の上面の異なる部分を複数の叩き部材で順に叩くので、集塵袋の内面上部に付着した塵埃を効果的に落とすことができる。
【００５０】
また、この発明の実施の形態の電気掃除機における前記複数の叩き部材は、前記上面の前側の部分を叩く前側叩き部材２１と、前記上面の後側の部分を叩く後側叩き部材２０である。
【００５１】
この構成によれば、集塵袋（紙パックフィルタ７）の上面の前側と後側を前側叩き部材２１と後側叩き部材２０により交互に叩くので、集塵袋の内面上部に付着した塵埃を効果的に落とすことができる。
【００５２】
更に、この発明の実施の形態の電気掃除機における前記駆動手段２２は、駆動モータ２８と、該駆動モータ２８に連動して前記前側叩き部材２１と後側叩き部材２０を交互に前記上面に対して進退動させるカム２９を有する。
【００５３】
この構成によれば、簡単な構成で後側を前側叩き部材２１と後側叩き部材２０を交互に駆動して、集塵袋（紙パックフィルタ７）の上面の前側と後側を前側叩き部材２１と後側叩き部材２０により交互に叩いて、集塵袋の内面上部に付着した塵埃を効果的に落とすことができる。
【図面の簡単な説明】
【００５４】
【図１】この発明に係る叩き部材を備える電気掃除機の概略斜視図である。
【図２】図１の掃除機本体の断面図である。
【図３】図２の集塵蓋を開いた状態で掃除機本体を正面から見た斜視図である。
【図４】図３の掃除機本体を前斜めから見た斜視図である。
【図４Ａ】図３に示した塵落とし装置のＡ１−Ａ１線に沿う断面図である。
【図４Ｂ】（ａ）は図４Ａに示した塵落とし装置のＡ２−Ａ２線に沿う断面図、（ｂ）は（ａ）の作用説明図である。
【図５】図３の塵落とし装置を前斜め下方から見た斜視図である。
【図６】図３の塵落とし装置を右斜めから見た斜視図である。
【図７】図３の塵落とし装置を左斜めから見た斜視図である。
【図８】図３の塵落とし装置の分解斜視図である。
【図９】図３の塵落とし装置の保持ケースと後叩き部材の分解斜視図である。
【図１０】図３の塵落とし装置の後叩き部材と前叩き部材の分解斜視図である。
【図１１】（ａ）〜（ｃ）は図３の塵落とし装置の作用説明図である。
【図１２】（ａ）〜（ｄ）は図９に示したカムの作用説明図である。
【図１３】図３の塵落とし装置の制御回路図である。
【符号の説明】
【００５５】
１…掃除機本体
３…集塵室
７…紙パックフィルタ（集塵袋）
７ａ…上面
１３…塵落とし装置（除塵手段）
２０…後側叩き部材（叩き部材）
２１…前側叩き部材（叩き部材）
２２…駆動手段
２８…駆動モータ
２９…カム
【図１】
2007111352.tif 000003
【図２】
2007111352.tif 000004
【図３】
2007111352.tif 000005
【図４】
2007111352.tif 000006
【図４Ａ】
2007111352.tif 000007
【図４Ｂ】
2007111352.tif 000008
【図５】
2007111352.tif 000009
【図６】
2007111352.tif 000010
【図７】
2007111352.tif 000011
【図８】
2007111352.tif 000012
【図９】
2007111352.tif 000013
【図１０】
2007111352.tif 000014
【図１１】
2007111352.tif 000015
【図１２】
2007111352.tif 000016
【図１３】
2007111352.tif 000017